(57)【要約】【課題】  定位置に配置した回転ドラムに対してワークを出し入れするだけでケレン作業が行えるようにし、必要とする設置スペースを極端に少なくできるだけでなく、構造の簡素化とケレン作業の能率向上を図ることができるケレン装置を提供する。【解決手段】  外周筒３と内周筒４の間にケレン部材の収納空間５を形成した回転ドラム１と、この回転ドラム１の内周筒４内に対して進退自在に配置され、内周筒４内に進入した状態で回転ドラム１と一体に回転する樋状容器２１からなり、上記回転ドラム１の内周筒４に、ケレン部材の掻上げ手段９と、回転ドラム１の一方への回転で内周筒４内のケレン部材を収納空間５内に回収し、回転ドラム１の他方への回転時に収納空間５内のケレン部材を内周筒４内に排出するケレン部材出入口が設けてある。【選択図】図１
2005120793.tif 000002
【特許請求の範囲】
【請求項１】
ケレン部材を収納した回転ドラムと、この回転ドラム内に対して進退自在の配置となるワーク出し入れ手段とを用い、回転ドラム内にワーク出し入れ手段を進入させた状態で回転ドラムを回転させ、掻き上げたケレン部材をワークと衝突させてケレン作業を行い、ケレン作業後に上記回転ドラムを停止させ、ケレン部材を回転ドラム内に、また、ワ−クをワーク出し入れ手段側に分離した状態で、回転ドラムからワーク出し入れ手段を引き出すようにするケレン方法。
【請求項２】
外周筒と内周筒の二重構造となり、この外周筒と内周筒の間にケレン部材の収納空間を形成した回転ドラムと、この回転ドラムの内周筒内に対して進退自在の配置となり、内周筒内に進入した状態で回転ドラムと一体に回転するワーク収納機構とからなり、上記回転ドラムの内周筒に、ケレン部材の掻上げ手段と、回転ドラムの一方への回転で内周筒内のケレン部材を収納空間内に回収し、回転ドラムの他方への回転時に収納空間内のケレン部材を内周筒内に排出するケレン部材出入口を設けたケレン装置。
【請求項３】
水平に配置した回転ドラムと、この回転ドラム内に対して進退自在の配置となり、回転ドラム内に進入した状態で少なくとも回転ドラムの回転時に回転するワーク回転機構とからなり、上記回転ドラムの内周に、ケレン部材の掻上げ手段を設けたケレン装置。
【発明の詳細な説明】
【技術分野】
【０００１】
この発明は、建築資材等に対する付着物を効率よく除去するためのケレン方法と装置に関する。
【背景技術】
【０００２】
例えば、建築資材である建枠や足場板等は、現場での使用によってその外面に、コンクリートや塗料が付着するため、現場からの回収後において再使用に備えるため、上記した付着物の除去作業が必要になる。
【０００３】
建枠や足場板等の付着物を除去する従来のケレン装置としては、ワークを入側から出側に送る搬送ラインの途中にケレン機を配置し、ケレン機に対してワークを通過させることにより、ワークの付着物を除去するようにした構造が提案されている。
【発明の開示】
【発明が解決しようとする課題】
【０００４】
ところで、上記した従来のケレン装置は、ワークを平面的に移送しながらケレンを行うため、極めて広い設置スペースが必要になり、しかも、ワークの両面をケレンするためにワークの反転装置がいるため、装置の構成が複雑になり、ケレン装置の導入コストが高くつくという問題がある。
【０００５】
そこで、この発明の課題は、定位置に配置した回転ドラムに対してワークを出し入れするだけでケレン作業が行えるようにし、必要とする設置スペースを極端に少なくできるだけでなく、構造の簡素化とケレン作業の安全と能率向上を図ることができるケレン方法と装置を提供することにある。
【課題を解決するための手段】
【０００６】
上記のような課題を解決するため、請求項１の発明は、ケレン部材を収納した回転ドラムと、この回転ドラム内に対して進退自在の配置となるワーク出し入れ手段とを用い、回転ドラム内にワーク出し入れ手段を進入させた状態で回転ドラムを回転させ、掻き上げたケレン部材をワークと衝突させてケレン作業を行い、ケレン作業後に上記回転ドラムを停止させ、ケレン部材を回転ドラム内に、また、ワ−クをワーク出し入れ手段側に分離した状態で、回転ドラムからワーク出し入れ手段を引き出すようにする構成を採用したものである。
【０００７】
請求項２の発明は、外周筒と内周筒の二重構造となり、この外周筒と内周筒の間にケレン部材の収納空間を形成した回転ドラムと、この回転ドラムの内周筒内に対して進退自在の配置となり、内周筒内に進入した状態で回転ドラムと一体に回転するワーク収納機構とからなり、上記回転ドラムの内周筒に、ケレン部材の掻上げ手段と、回転ドラムの一方への回転で内周筒内のケレン部材を収納空間内に回収し、回転ドラムの他方への回転時に収納空間内のケレン部材を内周筒内に排出するケレン部材出入口を設けた構成を採用したものである。
【０００８】
上記回転ドラムは、同軸心となる外周筒と内周筒の一端側が閉鎖され、他端側は外周筒と内周筒間が閉鎖されて内周筒が開口し、水平状態で回転可能となるよう支持され、モータによって回転方向が切り換え駆動され、内周筒の内周面で軸心を挟む複数箇所の位置に、リブ状の掻上げ手段が設けられている。
【０００９】
また、ワーク収納機構は、回転ドラムに対して接近離反動する台車に、断面略半円形で内周筒内に対して抜き差しする樋状容器を、回転と上下動が可能で台車の走行方向に一体動するよう結合し、樋状容器の台車側端部に内周筒の開口を閉鎖する蓋部材を設けた構造になっている。
【００１０】
上記回転ドラムに対してワーク収納機構の樋状容器は、両側の掻上げ手段をガイドに進退移動し、回転ドラムに設けたロック機構の押圧作用で樋状容器は掻上げ手段に固定化され、回転ドラムと一体に回転するようになっている。
【００１１】
また、内周筒のケレン部材出入口は、内周筒内に挿入した樋状容器の開口面と軸心を挟んで対向する位置に設けられ、更に、外周筒と内周筒間の収納空間には、回転ドラムの一方への回転で内周筒内のケレン部材を出入口から収納空間内に誘導し、回転ドラムの他方への回転時に収納空間内のケレン部材を内周筒内に誘導するガイド板が傾斜状に設けられている。
【００１２】
請求項３の発明は、水平に配置した回転ドラムと、この回転ドラム内に対して進退自在の配置となり、回転ドラム内に進入した状態で少なくとも回転ドラムの回転時に回転するワーク回転機構とからなり、上記回転ドラムの内周に、ケレン部材の掻上げ手段を設けた構成を採用したものである。
【００１３】
上記回転ドラムは、一端側が閉鎖されて他端側が開口し、水平状態で回転可能となるよう支持され、モータによって駆動され、その内周面に断面Ｖ字状の掻上げ手段が多数設けられている。
【００１４】
また、ワーク回転機構は、回転ドラムに対して接近離反動する台車で、回転ドラムと略同軸心の配置となるワーク取り付け軸を回転可能となるように支持し、ワーク取り付け軸の台車側端部に回転ドラムの開口を閉鎖する蓋部材を設けた構造になっている。
【発明の効果】
【００１５】
この発明によると、定位置に配置した回転ドラムに対して、ワーク出し入れ手段を進退動自在に配置し、ワーク出し入れ手段ワークを収納又は取り付けた状態で、回転ドラムと共にワークを回転させ、掻き上げたケレン部材をワークに衝突させてケレンを行うようにしたので、ケレン装置が回転ドラムの配置とワーク出し入れ手段の出し入れのためのスペースだけで設置でき、装置の設置のための省スペース化が図れると共に、掻き上げたケレン部材を回転するワークに落下衝突させるので、ワークの全面に対してケレン部材を衝突させることができ、ケレン効率が大幅に向上して付着物の取り残しの発生がなく、しかも、回転ドラムに対するワーク出し入れ手段の引き出し時に、ワークとケレン部材を予め分離するので、ケレン作業の安全と能率の向上が図れることになる。
【００１６】
また、ワーク収納機構にワークを収納し、又は、ワーク回転機構に対してワークを取り付けることにより、多数個の同時ケレンが行え、一段とケレン作業の能率を向上させることができる。
【発明を実施するための最良の形態】
【００１７】
外周筒と内周筒の間にケレン部材の収納空間を形成した回転ドラムと、この回転ドラムの内周筒内に対して進退自在の配置となり、内周筒内に進入した状態で回転ドラムと一体に回転するワーク収納機構とからなり、上記回転ドラムの内周筒に、ケレン部材の掻上げ手段と、回転ドラムの一方への回転で内周筒内のケレン部材を収納空間内に回収し、回転ドラムの他方への回転時に収納空間内のケレン部材を内周筒内に排出するケレン部材出入口を設ける。
【実施例１】
【００１８】
以下、この発明の実施例を添付図面に基づいて説明する。
【００１９】
図１乃至図８は、ケレン装置の第１の実施例を示し、定位置に配置した回転ドラム１と、この回転ドラム１に対して進退動自在となるワーク出し入れ手段であるワーク収納機構２によって構成されている。
【００２０】
上記回転ドラム１は、同軸心となる外周筒３と内周筒４の二重構造となり、この外周筒３と内周筒４の間にケレン部材の収納空間５を形成し、外周筒３と内周筒４の一端側が端板６で閉鎖され、他端側は外周筒３と内周筒４間が閉鎖されて内周筒４の端部が開口し、ベース台７上に水平状態で回転可能となるよう支持され、モータ８によって回転方向が切り換え可能に駆動され、内周筒４のワーク収納機構２が収まる部分を除く内周面で軸心を挟む両側とその他の位置に、リブ状の掻上げ手段９が全長わたって設けられている。
【００２１】
上記回転ドラム１は、端板６に固定した軸１０がベース台７上に設けた軸受１１で支持され、外周筒３の途中で外周面に設けた円形のレール１２の下部両側ががベース台７の両側に設けたローラ１３で支持され、軸心を水平にして回転可能の配置となり、ベース台７上に固定したモータ８と軸１０を連動し、回転ドラム１を何れの方向にも切り換え回転駆動ができるようになっている。
【００２２】
図４のように、上記内周筒４に、回転ドラム１の一方への回転で内周筒４内の鋼球等を用いたケレン部材を収納空間５内に回収し、回転ドラム１の他方への回転時に収納空５間内のケレン部材を内周筒内に排出するケレン部材の出入口１４が設けられ、収納空間５の出入口１４に近接する位置に、回転ドラム１の一方への回転で内周筒４内のケレン部材を出入口１４から収納空間５内に収まるように誘導し、回転ドラム１の他方への回転時に収納空間５内のケレン部材を内周筒４内に排出するように誘導するガイド板１５が傾斜状に設けられている。
【００２３】
上記ワーク収納機構２は、回転ドラム１の開放側端部に、回転ドラム１に対して接近離反動する台車１６をレール１７に沿ってモータ１８で自走するように配置し、この台車１６上に軸受１９を介して水平軸２０を回転と上下動が可能で、台車１６の移動方向に一体動するよう配置し、この水平軸２０に、内周筒４の内部に少し余裕をもって納まる断面略半円形となり、内周筒４内に対して抜き差し可能となる樋状容器２１と、樋状容器２１の台車１６側端部に内周筒４の開口を閉鎖する蓋部材２２を設けた構造になっている。
【００２４】
上記回転ドラム１に対してワーク収納機構２の樋状容器２１は、軸心を挟んで両側に位置する掻上げ手段９をガイドに進退移動するよう、その先端に樋状容器２１の先端を閉鎖すると共に、内周筒４内に納まる可動部材２３が設けられ、この可動部材２３の両側の位置に掻上げ手段９上を転動するローラ２４が取り付けられ、樋状容器２１の先端を可動部材２３とローラ２４及び掻上げ手段９を介して回転ドラム１で支持するようになっている。
【００２５】
上記回転ドラム１に対するワーク収納機構２の樋状容器２１の抜き差し操作は、回転ドラム１を内周筒４に設けたケレン部材の出入口１４が上部に位置するよう停止させ、樋状容器２１はその上部開口面が上向きの水平状態となるように停止させ、この状態で樋状容器２１を内周筒４内の下半部に対して抜き差しするようになっており、また、回転ドラム１の両端部寄りの位置には、回転ドラム１に対して樋状容器２１を一体に回転するよう固定化するロック機構２５が設けてある。
【００２６】
このロック機構２５は、図６と図８のように、外周筒３に、この外周筒３と内周筒４を貫通し、圧力流体供給排でロッド２６が上下動するシリンダ２７を固定し、ロッド２６で樋状容器２１の底面に設けた受け金具２８を介して樋状容器２１を押し上げることにより、図７のように、樋状容器２１の上部両側に設けたフランジ２９を両側掻上げ手段９の下面に圧接させ、回転ドラム１と樋状容器２１を固定化して一体に回転するようにしている。
【００２７】
このように、樋状容器２１を押し上げて樋状容器２１の上部両側に設けたフランジ２９を両側掻上げ手段９の下面に圧接させると、樋状容器２１の外周面と内周筒４の内周面によって形成された空間が閉鎖され、この空間へのワークやケレン部材の侵入発生をなくすことができ、また、回転ドラム１には、進入した可動部材２３で閉鎖される位置と、上記外周筒３と内周筒４の閉鎖空間に該当する位置に、樋状容器２１を後退動させたときに開放する塵埃排出口３０と３１が設けてあり、内周筒４内の清掃が簡単に行えるようになっている。
【００２８】
なお、図4のように、樋状容器２１の底部にもリブ状の掻き上げ手段９が突設してあると共に、回転ドラム１の開放側端部の床面上には、引き出したワーク収納機構２に対して横方向から接近離反動する台車３２を配置し、樋状容器２１に対して給排するワークをこの台車３２で搬送するようにしている。
【００２９】
また、回転ドラム１の開放側端部の下部には、回転ドラム１からワーク収納機構２を完全に抜き取ったときに、可動部材２３を支持するための支持台車３３が配置してある。
【００３０】
第１の実施例のケレン装置は上記のような構成であり、次に、このケレン装置を用いたケレン方法を説明する。
【００３１】
回転ドラム１を出入口１４が上部に位置するよう停止させ、可動部材２３を内周筒４内に残すように、回転ドラム１に対してワーク収納機構２を引き出した状態で、台車３２で搬送してきた、例えば金属製の部材であるワークを樋状容器２１内に投入し、この後樋状容器２１を回転ドラム１の内部に進入させ、蓋部材２２で内周筒４の開口端を閉鎖する。
【００３２】
この後、ロック機構２５を作動させて樋状容器２１を押し上げ、この樋状容器２１と水平軸２０及び蓋部材２２を台車１６に対して一体に上昇させ、回転ドラム１とワーク収納機構２を固定化する。
【００３３】
回転ドラム１の外周筒３と内周筒４の間に形成された収納空間５に、予め鋼球等を用いた無数のケレン部材を収納しておき、ワーク収納機構２の進入固定後に回転ドラム１を、収納空間５内のケレン部材が出入口１４から内周筒４内に排出する方向に回転させると、回転ドラム１と樋状容器２１は一体に回転すると共に、出入口１４が下部から上方に移行するとき、この出入口１４から内周筒４内及び樋状容器２１内にケレン部材が流出し、このケレン部材とワークが混合する。
【００３４】
各掻上げ手段９は、下方から上方に向けて移行するとき、ケレン部材とワークを掻き上げ、水平位置から上方に移行すると、掻き上げられたケレン部材とワークは、自重により混合状態で落下することで、ケレン部材とワークは互いに衝突する。
【００３５】
各掻上げ手段９は、一回転するごとに上記のような、ケレン部材とワークの掻き上げと落下を繰り返すことになり、しかも、ケレン部材とワークは回転する内周筒４と樋状容器２１内で混合攪拌され、ワークＡはこのようなケレン部材の衝突を受けることで、表面全面の付着物が効率よく剥離除去されることになる。
【００３６】
上記のように、回転ドラム１を所定時間だけ回転させてワークに対する付着物の除去が完了すると、回転ドラム１の回転を上記ケレン時とは逆方向に切り換える。
【００３７】
上記のような逆回転によって、内周筒４内及び樋状容器２１内に位置するケレン部材は、下方に移動した出入口１４ですくわれることにより、収納空間５内に順次収納され、ケレン部材の全量が収納空間内に収まることで、ケレン部材とワークは分離され、ワークだけが内周筒４内及び樋状容器２１内に残る。
【００３８】
このとき、上記出入口１４は、ケレン部材よりも大きくワークよりも小さい開口条件に設定されている。
【００３９】
上記回転ドラム１を出入口１４が上部で樋状容器２１が下方に位置する状態に停止させると、ワークは全量が樋状容器２１内に納まり、ワーク収納機構２を後退動させて回転ドラム１の内周筒４から樋状容器２１を抜き出し、樋状容器２１から取り出したワークを台車３２に載せて搬出すれば、ワークのケレン作業が完了する。
【００４０】
このように、ワークの取り出し時は、ケレン部材とワークが分離され、ケレン部材のみが回転ドラム１側に残ると共に、ワークの取り出しは、回転ドラム１から樋状容器２１を抜き出した状態で行うので、作業者はワーク取り出し作業時に回転ドラム１内に身体の一部を入れるような必要がなくなり、ワーク取り出し作業の安全性と能率の向上が図れることになる。
【実施例２】
【００４１】
次に、図９乃至図１２に示す第２の実施例を説明する。
【００４２】
この第２の実施例のケレン装置は、定位置に配置した回転ドラム４１と、この回転ドラム４１に対して進退動自在となるワーク出し入れ手段であるワーク回転機構４２によって構成され、上記回転ドラム４１は、一端側が端板４３で閉鎖され、他端側がが開口し、ベース台４４上に水平状態で回転可能となるよう支持され、モータ４５によって回転駆動されるようになっている。
【００４３】
上記回転ドラム４１は、端板４３に固定した軸４６がベース台４４上に設けた軸受４７で支持され、回転ドラム４１の途中で外周面に設けた円形のレール４８の下部両側がベース台４４の両側に設けたローラ４９で支持され、軸心を水平にして回転可能の配置となり、ベース台４４上に固定したモータ４５と軸４６が連動されている。
【００４４】
上記回転ドラムの４１内周面には、図１１のように、軸方向の全長に沿う長さを有し、断面Ｖ字状となる掻上げ手段５０が周方向に一定間隔の配置で多数設けられ、開口側の端部周囲には、ケレン部材がこぼれ出ないようにするための環状の端板４１ａが設けられている。
【００４５】
上記ワーク回転機構４２は、回転ドラム４１の開放側端部に、回転ドラム４１に対して接近離反動する台車５１をレール５２に沿ってモータによる駆動によって自走するように配置し、この台車５１上に設けた軸受５３で、回転ドラム４１と略同軸心の配置となるワーク取り付け軸５４を回転可能に支持し、この回転軸５４の台車５１側端部に回転ドラム４１の開口を閉鎖する蓋部材５５を設け、台車５１上のモータによる駆動によって回転軸５４と蓋部材５５が回転ドラム４１と一体に同方向又は逆方向に回転させる構造になっている。
【００４６】
上記回転ドラム４１に対してワーク回転機構４２の回転軸５４は、軸心を挟む両側の掻上げ手段５０をガイドに進退移動するよう、その先端に回転ドラム４１内に納まる可動部材５６が設けられ、この可動部材５６の両側の位置に掻上げ手段５０上を転動するローラ５７が取り付けられ、回転軸５４の先端を可動部材５６とローラ５７及び掻上げ手段５０を介して回転ドラム４１で支持すると共に、回転ドラム４１内に進入した可動部材５６は端板４３とに設けた一対のロック機構５８によって端板４３と結合し、回転軸５４の先端を回転可能に支持するようになっている。
【００４７】
上記回転軸５４には、軸方向に所定の間隔ごとに、複数本のアーム５９を放射状の配置で固定し、軸方向のアーム５９間に建枠や足場板のようなワークＡを、例えば、ねじ式のクランプ結合金具等を用いて着脱自在に取り付けるようになっている。
【００４８】
第２の実施例のケレン装置は上記のような構成であり、次に、このケレン装置を用いたケレン方法を説明する。
【００４９】
可動部材５６を回転ドラム４１内に残し、回転ドラム４１に対してワーク回転機構４２を引き出した状態で、台車等で搬送してきたワークＡを回転軸５４のアーム５９に装着し、この後ワーク回転機構４２の回転軸５４を回転ドラム４１の内部に進入させ、蓋部材５５で回転ドラム４１の開口端を閉鎖し、ロック機構５８を係合させて端板４３と可動部材５６を結合させる。
【００５０】
回転ドラム４１の内底部に、予め鋼球のような無数のケレン部材を収納しておき、ワーク回転機構４２の進入後に回転ドラム４１と回転軸５４を回転させると、回転ドラム４１とワークＡは一体に回転すると共に、各掻上げ手段５０は下方から上方に移行するとき、この掻上げ手段５０と回転ドラムの内周面によって形成された鋭角の空間が上向になるので、この鋭角の空間でケレン部材を掻き上げ、水平位置から上方に移行すると、鋭角の空間は下向きになり、掻き上げられたケレン部材は、回転するワークＡ上に向けて自重で落下してワークＡに衝突する。なお、ワーク回転機構４２は、回転ドラム４１と逆方向に回転駆動させるようにしてもよい。
【００５１】
各掻上げ手段５０によって形成された鋭角の空間は、一回転するごとに上記のような、ケレン部材の掻き上げと落下を繰り返すことになり、回転するワークＡはこのようなケレン部材の衝突を繰り返し受けることで、表面全面の付着物が効率よく剥離除去されることになる。
【００５２】
上記のようにしてワークに対する付着物の除去が完了すると、回転ドラム４１と回転軸５４の回転を停止させ、回転ドラム４１内の下部位置にケレン部材が溜まった状態で、ワーク回転機構４２を後退動させ、回転ドラム４１内からワークＡを装着した回転軸５４を抜き出し、回転軸５４から取り外したワークＡを台車等に載せて搬出すれば、ワークのケレン作業が完了する。
【００５３】
上記回転ドラム４１の停止時において、ワーク回転機構４２だけを回転させ、遠心力でケレン部材をワークから分離させ、ケレン部材とワークの分離をより確実に行うようにしてもよい。
【００５４】
この第２の実施例においても、第１の実施例と同様、ワークの取り出し時はケレン部材とワークが分離され、ケレン部材のみが回転ドラム４１側に残ると共に、ワークの取り出しを、回転ドラム４１から回転軸５４を抜き出した状態で行うので、作業者はワーク取り出し作業時に回転ドラム４１内に身体の一部を入れるような必要がなくなり、ワーク取り出し作業の安全性と能率の向上が図れる。
【００５５】
なお、第２の実施例におけるワーク回転機構４２は、図示のような構造以外に、例えば、回転ドラム４１内に余裕をもって嵌合する外径で、ワークよりも小さくケレン部材よりも大きな網目を有し、内部にワークを出し入れ可能に収納する金網製の筒体を台車５１に回転可能に取り付け、この筒体内のワークにケレン部材を衝突させてケレンを行うような構造を採用することができる。
【図面の簡単な説明】
【００５６】
【図１】第１の実施例のケレン装置を示すワーク収納機構の回転ドラムに対する引き出し状態の縦断正面図
【図２】同上の平面図
【図３】第１の実施例のケレン装置を示すワーク収納機構の回転ドラムへの進入状態の縦断正面図
【図４】同上におけるワーク収納機構の進入状態の拡大した縦断側面図
【図５】回転ドラムの掻上げ手段とワーク収納機構の関係を示すロック前の拡大した縦断面図
【図６】ロック機構のロック前の状態を示す拡大した縦断面図
【図７】回転ドラムの掻上げ手段とワーク収納機構の関係を示すロック状態時の拡大した縦断面図
【図８】ロック機構のロック状態を示す拡大した縦断面図
【図９】第２の実施例のケレン装置を示すワーク回転機構の回転ドラムへの引き出し状態の縦断正面図
【図１０】同上の回転ドラムの部分を拡大した横断平面図
【図１１】図１０の矢印ａ−ａ部分での縦断正面図
【図１２】第２の実施例のケレン装置を示すワーク回転機構の回転ドラムへの進入状態の縦断正面図
【符号の説明】
【００５７】
１        回転ドラム
２        ワーク収納機構
３        外周筒
４        内周筒
５        収納空間
６        端板
７        ベース台
８        モータ
９        掻上げ手段
１０      軸
１１      軸受
１２      レール
１３      ローラ
１４      出入口
１５      ガイド板
１６      台車
１７      レール
１８      モータ
１９      軸受
２０      水平軸
２１      樋状容器
２２      蓋部材
２３      可動部材
２４      ローラ
２５      ロック機構
２６      ロッド
２７      シリンダ
２８      受け金具
２９      フランジ
３０      塵埃排出口
３１      塵埃排出口
３２      台車
３３      台車
４１      回転ドラム
４２      ワーク回転機構
４３      端板
４４      ベース台
４５      モータ
４６      軸
４７      ベース台
４８      レール
４９      ローラ
５０      掻上げ手段
５１      台車
５２      レール
５３      軸受
５４      ワーク取り付け軸
５５      蓋部材
５６      可動部材
５７      ローラ
５８      ロック機構
５９      アーム
【図１】
2005120793.tif 000003
【図２】
2005120793.tif 000004
【図３】
2005120793.tif 000005
【図４】
2005120793.tif 000006
【図５】
2005120793.tif 000007
【図６】
2005120793.tif 000008
【図７】
2005120793.tif 000009
【図８】
2005120793.tif 000010
【図９】
2005120793.tif 000011
【図１０】
2005120793.tif 000012
【図１１】
2005120793.tif 000013
【図１２】
2005120793.tif 000014